(57)【要約】【課題】水分と塩霧の進入を防ぐことができるファンモータ構造を提供する。【解決手段】垂直な軸筒１１１を有するベース１１と、固定子ユニット１２と、ハウジング１３と、少なくとも１個の回路基板１４とを具備し、固定子ユニット１２は、軸筒１１１の外周に嵌合されているとともに、複数のシリコンスチール片１２１を備え、該シリコンスチール片１２１における垂直方向の外周には、複数のコイル１２２が巻き付けられており、ハウジング１３は、垂直方向において、ベース１１と固定子ユニット１２の間に設置されているとともに、密閉空間１３１を備え、少なくとも１個の回路基板１４は、密閉空間内１３１に設置した。【選択図】図１
0003169426.tif 000002
【実用新案登録請求の範囲】
【請求項１】
水分と塩霧を防ぐことができるファンモータ構造であって、
垂直な軸筒を有するベースと、固定子ユニットと、ハウジングと、少なくとも１個の回路基板とを具備し、
前記固定子ユニットは、前記軸筒の外周に嵌合されているとともに、複数のシリコンスチール片を備え、該シリコンスチール片における前記軸筒の延在方向となる垂直方向の外周には、複数のコイルが巻き付けられており
前記ハウジングは、前記垂直方向において、前記ベースと前記固定子ユニットの間に設置されているとともに、密閉空間を備え、
前記少なくとも１個の回路基板は、前記密閉空間内に設置したことを特徴とするファンモータ構造。
【請求項２】
前記ハウジング外部は、少なくとも１個の樹脂材層により覆われていることを特徴とする請求項１に記載のファンモータ構造。
【請求項３】
前記ハウジングは、頂点部と、該頂点部の両側にそれぞれ前記垂直方向に沿って位置する第一側部及び第二側部を備え、
前記頂点部は、前記ベースに対向して位置しており、前記第一側部は、前記第二側部に対向して位置しており、
前記頂点部、前記ベース、前記第一側部、前記第二側部は、前記密閉空間を形成することを特徴とする請求項２に記載のファンモータ構造。
【請求項４】
前記第一側部は、第一延伸端を備え、前記第二側部は、第二延伸端を備え、
前記第一延伸端及び前記二延伸端は、前記ベースに接することを特徴とする請求項３に記載のファンモータ構造。
【請求項５】
前記樹脂材層は、前記第一側部及び前記第二側部の外表面にそれぞれ配置されており、前記第一延伸端及び前記第二延伸端の前記ベースに接する位置をそれぞれ覆うことを特徴とする請求項３に記載のファンモータ構造。
【請求項６】
前記コイルは、前記回路基板と電気的に接続されていることを特徴とする請求項１に記載のファンモータ構造。
【請求項７】
前記ハウジングは、第一ハウジング部及び第二ハウジング部からなり、
前記第一ハウジング部は、前記第二ハウジング部に対向して位置し、前記第二ハウジング部とともに前記密閉空間を形成することを特徴とする請求項１に記載のファンモータ構造。
【請求項８】
前記第一ハウジング部は、前記固定子ユニットに隣接して位置するとともに、前記第二ハウジング部は、前記ベースに隣接して位置することを特徴とする請求項７に記載のファンモータ構造。
【請求項９】
前記軸筒はさらに、軸孔を備え、
前記軸孔には、少なくとも１個のベアリングが収容されていることを特徴とする請求項１に記載のファンモータ構造。
【請求項１０】
前記固定子ユニットは、さらに、第一絶縁片及び第二絶縁片を備え、
前記第一絶縁片及び前記二絶縁片は、前記垂直方向における前記固定子ユニットの両側にそれぞれ配置されていることを特徴とする請求項１に記載のファンモータ構造。
【考案の詳細な説明】
【技術分野】
【０００１】
本考案は、水分と塩霧を防ぐことができるファンモータ構造に関し、特に回路板を水分と塩霧による破壊から守ることがファンモータ構造に関する。
【背景技術】
【０００２】
現行の散熱ファンは、固定子、ローター、回路板、ブレード及びファンフレーム等の部品からなる。このような散熱ファンは、例えば特許文献１に開示されている。  
散熱ファンは、応用領域の拡大に従い、電子設備中において、CPU、サーバー、パワーサプライ、通信機器、電信アクセスポイント等に用いられるが、散熱ファンが用いられる環境はどんどん過酷になっている。  
例えば、湿度が高く、塩霧等が存在する環境中においては、散熱ファンは、防護のための水分及び塩霧の侵入を防ぐ構造を有していなければ、散熱ファンの内部の固定子及びベアリングは、水分及び塩霧の侵入を受けると腐食してしまい、これにより回路基板は損壊を受け、ファンの寿命は縮まってしまうといった問題があった。
【０００３】
このような問題に鑑み、従来においては、固定子及び回路板全体に、一層の膜を真空コーティングすることにより、防水効果を向上させる構成も周知である。
【０００４】
また、従来においては、固定子と回路板周辺及びその内部空間に樹脂を充満させることによって、防水効果を向上させる構成も周知である。  
具体的には、先ず、固定子及び回路板をファン外枠上に設置し、その後、この部分を金型中に挿入して樹脂を注入し、最後に樹脂の凝固を待ち、金型内から取り出すことにより、固定子と回路板周辺及びその内部空間に樹脂を充満させる構成も周知である。
【先行技術文献】
【特許文献】
【０００５】
【特許文献１】特開２００７−１６３１９５号公報
【考案の概要】
【考案が解決しようとする課題】
【０００６】
しかしながら、固定子及び回路板全体に、一層の膜を真空コーティングすることにより、防水効果を向上させる構成では、膜層は一層の極めて薄い高分子重合物に過ぎないため、ファンが塩霧環境中で運転し、わずかでも塩の結晶が生じそれがファン内に堆積すれば、この薄膜は塩の結晶と摩擦を生じ、膜層の破裂が起きてしまうことから、電子コンポーネントは、塩水の侵入により、ショートし損壊してしまう可能性があった。
【０００７】
また、固定子と回路板周辺及びその内部空間に樹脂を充満させることによって、防水効果を向上させる構成では、樹脂層が非常に厚いため、電子コンポーネント周辺を包み込んでしまうと、電子コンポーネント自体の散熱に影響を及し、これにより電子コンポーネントは過熱により損壊し、ファンが機能を失ってしまう可能性があるといった問題があった。
【０００８】
また、上述した真空コーティング及び樹脂注入技術の用途は主に、電子コンポーネントが水及び塩霧に侵蝕され、ショートして損壊しないよう保護するものであるため、上述した従来の技術は、単純に回路板に防水機能を与えるに過ぎない。  
しかも、モータユニットでは、包覆の方式によって内部回路板を保護しているため、散熱面での効果が低く、モータユニット全体の温度が上昇し易いといった欠点があった。
【０００９】
即ち、従来のファンモータにおいては、寿命が短く、ファン内部に熱がたまり易いばかりか、散熱効率が低いといった問題があった。
【００１０】
本考案の目的は、上記問題に鑑みてなされたものであり、水分と塩霧の進入を防ぐことができるファンモータ構造を提供することである。
【課題を解決するための手段】
【００１１】
上記課題を解決するため、本考案の一態様におけるファンモータ構造は、水分と塩霧を防ぐことができるファンモータ構造であって、垂直な軸筒を有するベースと、固定子ユニットと、ハウジングと、少なくとも１個の回路基板とを具備し、前記固定子ユニットは、前記軸筒の外周に嵌合されているとともに、複数のシリコンスチール片を備え、該シリコンスチール片における前記軸筒の延在方向となる垂直方向の外周には、複数のコイルが巻き付けられており前記ハウジングは、前記垂直方向において、前記ベースと前記固定子ユニットの間に設置されているとともに、密閉空間を備え、前記少なくとも１個の回路基板は、前記密閉空間内に設置した。
【考案の効果】
【００１２】
本考案によれば、水分と塩霧の進入を防ぐことができるファンモータ構造を提供することができる。その結果、使用寿命を延長でき、水分及び塩霧に起因する回路基板の破壊を回避でき、回路基板を交換及びメンテナンスすることができる。
【図面の簡単な説明】
【００１３】
【図１】第１実施の形態のファンモータ構造を示す断面図
【図２】第２実施の形態のファンモータ構造を示す断面図
【考案を実施するための形態】
【００１４】
以下に図面を参照しながら本考案を実施するための最良の形態について詳細に説明する。
【００１５】
（第１実施の形態）
図１は、第１実施の形態のファンモータ構造を示す断面図である。図１に示すように、本考案の水分と塩霧を防ぐことができるファンモータ構造は、ベース１１と、固定子ユニット１２と、ハウジング１３と、少なくとも１個の回路基板１４とから主要部が構成されている。
【００１６】
ベース１１は、図１中垂直に設置された軸筒１１１を有しており、該軸筒１１１の下端から図１中横方向に突出するＬ字状を有している。
【００１７】
固定子ユニット１２は、軸筒１１１の外周に嵌合されており、複数のシリコンスチール片１２１を具備している。尚、シリコンスチール片１２１の図１中の垂直方向の外周には、複数のコイル１２２が巻きつけられている。
【００１８】
また、固定子ユニット１２は、さらに、シリコンスチール片１２１の図１中の垂直方向の外周に、第一絶縁片１２３及び第二絶縁片１２４を備え、該第一、第二絶縁片１２３、１２４は、図１中の水平方向において、コイル１２２を挟持するよう配置されている。
【００１９】
ハウジング１３は、図１中の垂直方向において、ベース１１と固定子ユニット１２との間に設置されている。ハウジング１３は、密閉空間１３１を備えている。尚、密閉空間１３１内に、回路基板１４が設置されている。
【００２０】
また、ハウジング１３は、第一ハウジング部１３２及び第二ハウジング部１３３とから主要部が構成されている。第一ハウジング部１３２は、第二ハウジング部１３３に対向して位置し、第二ハウジング部１３３と共に、密閉空間１３１を形成する。尚、第一ハウジング部１３２は、固定子ユニット１２に隣接して位置し、該第二ハウジング部１３３は、ベース１１に隣接して位置する。
【００２１】
軸筒１１１は、さらに、軸孔１１１１を備え、該軸孔１１１１には、少なくとも１個のベアリング１５が収容されている。
【００２２】
（第２実施の形態）
図２は、第１実施の形態のファンモータ構造を示す断面図である。
【００２３】
本考案の第２実施形態によるファンモータ構造は、第１実施形態とほぼ同様であるが、ハウジング１３が頂点部１３４、第一側部１３５、第二側部１３６を備える点が異なる。よって、それ以外の第１実施の形態と同じ構造、部品間の関連性の説明は省略する。
【００２４】
第一、二側部１３５、１３６は、該頂点部１３４の図２中の水平方向の両側にそれぞれ位置しており、図２中の垂直方向において、ベース１１へと延伸する形状を有している。
【００２５】
頂点部１３４は、ベース１１に対向して位置しており、第一側部１３５は、第二側部１３６に対向して位置している。
【００２６】
頂点部１３４、ベース１１、第一側部１３５、第二側部１３６は、ともに密閉空間１３１を形成している。
【００２７】
該第一側部１３５は、第一延伸端１３５１を備え、該第二側部１３６は、第二延伸端１３６１を備え、該第一、二延伸端１３５１、１３６１は、該ベース１１に接する。
【００２８】
樹脂材層１６は、第一側部１３５及び第二側部１３６の外表面にそれぞれ配置されており、第一延伸端１３５１及び第二延伸端１３６１のベース１１に接する位置を覆う機能を有している。
【００２９】
尚、第一実施の形態及び第二実施の形態におけるコイル１２２は、回路基板１４と電気的に接続されている。
【００３０】
尚、上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３１】
１１…ベース
１２…固定子ユニット
１３…ハウジング
１４…回路基板
１５…ベアリング
１６…樹脂材層
１１１…軸筒
１２１…シリコンスチール片
１２２…コイル
１２３…第一絶縁片
１２４…第二絶縁片
１３１…密閉空間
１３２…第一ハウジング部
１３３…第二ハウジング部
１３４…頂点部
１３５…第一側部
１３６…第二側部
１１１１…軸孔
１３５１…第一延伸端
１３６１…第二延伸端
【図１】
0003169426.tif 000003
【図２】
0003169426.tif 000004